(57)【要約】【課題】金属材料などの導電性材料のタッチ検出電極を用いつつ、モアレが視認される可能性を低減できるタッチ検出機能付き表示装置を提供することにある。【解決手段】人間の視感度が最も高い色領域が並ぶ方向を画素配列方向とし、画素配列方向に対して直交する画素直交方向における、画素１つ分の最大長さを第１単位長さとし、画素配列方向と平行な方向における、画素１つ分の最大長さを第２単位長さとした場合、タッチ検出電極は、画素配列方向と異なる方向に伸びる細線片を含み、当該細線片の第２端部は第１端部から目標位置に向かう方向にあり、目標位置は、当該細線片の第１端部に対して、画素直交方向において第１単位長さの整数倍で２以上の倍数で離れ、かつ画素配列方向において第２単位長さの整数倍で２以上の倍数で離れており、第１単位長さの整数倍の倍数の値と、第２単位長さの整数倍の倍数の値は異なる。【選択図】図１３
2014191660.tif 000002
【特許請求の範囲】
【請求項１】
基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線であるタッチ検出電極と、
前記タッチ検出電極に対して静電容量を有する駆動電極と、
前記表示領域に画像を表示する機能を有する表示機能層と、を含み、
複数の前記色領域のうち、人間の視感度が最も高い色領域が並ぶ方向を画素配列方向とし、前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記導電性細線は、前記画素配列方向と異なる方向に伸びる細線片を含み、当該細線片の第２端部は第１端部から目標位置に向かう方向にあり、前記目標位置は、当該細線片の第１端部に対して、前記画素直交方向において前記第１単位長さの整数倍で２以上の倍数で離れ、かつ前記画素配列方向において前記第２単位長さの整数倍で２以上の倍数で離れ、前記第１単位長さの整数倍の倍数の値と、前記第２単位長さの整数倍の倍数の値は異なる、タッチ検出機能付き表示装置。
【請求項２】
前記第１単位長さの整数倍の倍数の値と、前記第２単位長さの整数倍の倍数の値は、３以上の値である、請求項１に記載のタッチ検出機能付き表示装置。
【請求項３】
前記第１単位長さの整数倍の倍数の値と、前記第２単位長さの整数倍の倍数の値との差は、１である、請求項２に記載のタッチ検出機能付き表示装置。
【請求項４】
前記隣り合う細線片は、
一方の細線片の第２端部と他方の細線片の第１端部とが接続される部分が屈曲部となり、前記一方の細線片が前記画素配列方向に対して角度を有して延び、前記他方の細線片が前記屈曲部で前記画素配列方向に対する角度が変わるように前記一方の細線片と異なる方向に延びている、
請求項１から３のいずれか１項に記載のタッチ検出機能付き表示装置。
【請求項５】
前記導電性細線は、前記基板の表面と平行な面に複数あり、隣接する前記導電性細線の前記細線片同士が交差する部分を有するように配置され、一方の前記導電性細線が前記交差する部分で他方の前記細線片と接続される、請求項１から４のいずれか１項に記載のタッチ検出機能付き表示装置。
【請求項６】
前記タッチ検出電極と前記駆動電極とは、
前記基板の表面に対する垂直方向において、前記基板を挟んで異なる面上に位置し、
前記駆動電極は、透光性である、請求項１から５のいずれか１項に記載のタッチ検出機能付き表示装置。
【請求項７】
前記駆動電極は、
前記画素配列方向または前記画素直交方向に延在している、請求項６に記載のタッチ検出機能付き表示装置。
【請求項８】
タッチ検出機能付き表示装置を備え、
前記タッチ検出機能付き表示装置は、
基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線であるタッチ検出電極と、
前記タッチ検出電極に対して静電容量を有する駆動電極と、
前記表示領域に画像を表示する機能を有する表示機能層と、を含み、
複数の前記色領域のうち、人間の視感度が最も高い色領域が並ぶ方向を画素配列方向とし、前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記導電性細線は、前記画素配列方向と異なる方向に伸びる細線片を含み、当該細線片の第２端部は第１端部から目標位置に向かう方向にあり、前記目標位置は、当該細線片の第１端部に対して、前記画素直交方向において前記第１単位長さの整数倍で２以上の倍数で離れ、かつ前記画素配列方向において前記第２単位長さの整数倍で２以上の倍数で離れ、前記第１単位長さの整数倍の倍数の値と、前記第２単位長さの整数倍の倍数の値は異なる、電子機器。
【発明の詳細な説明】
【技術分野】
【０００１】
本発明は、外部近接物体を検出可能な表示装置に係り、特に静電容量の変化に基づいて外部近接物体を検出可能なタッチ検出機能付き表示装置及び電子機器に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、透光性電極パターンの不可視化対策がされたタッチパネルが記載されている。
【先行技術文献】
【特許文献】
【０００４】
【特許文献１】特開２０１０−１９７５７６号公報
【発明の概要】
【発明が解決しようとする課題】
【０００５】
さらに、タッチ検出機能付き表示装置では、薄型化、大画面化または高精細化のため、タッチ検出電極の低抵抗化が求められている。タッチ検出電極は、透光性電極の材料としてＩＴＯ（Indium  Tin  Oxide）等の透光性導電酸化物が用いられている。タッチ検出電極を低抵抗にするには、金属材料などの導電性材料を用いることが有効である。しかし、金属材料などの導電性材料を用いると、表示装置の画素と金属材料などの導電性材料との干渉によりモアレが視認される可能性がある。
【０００６】
本開示は、かかる問題点に鑑みてなされたもので、その目的は、金属材料などの導電性材料のタッチ検出電極を用いつつ、モアレが視認される可能性を低減できるタッチ検出機能付き表示装置を提供することにある。
【課題を解決するための手段】
【０００７】
本開示のタッチ検出機能付き表示装置は、基板と、前記基板の表面と平行な面に、複数の色領域で構成される画素が行列状に配置される表示領域と、第１端部と第２端部とを直線で結んだ細線片を複数含み、隣り合う細線片は一方の細線片の第２端部と他方の細線片の第１端部とが接続された、前記基板の表面と平行な面に延在する導電性細線であるタッチ検出電極と、前記タッチ検出電極に対して静電容量を有する駆動電極と、前記表示領域に画像を表示する機能を有する表示機能層と、を含み、複数の前記色領域のうち、人間の視感度が最も高い色領域が並ぶ方向を画素配列方向とし、前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、前記導電性細線は、前記画素配列方向と異なる方向に伸びる細線片を含み、当該細線片の第２端部は第１端部から目標位置に向かう方向にあり、前記目標位置は、当該細線片の第１端部に対して、前記画素直交方向において前記第１単位長さの整数倍で２以上の倍数で離れ、かつ前記画素配列方向において前記第２単位長さの整数倍で２以上の倍数で離れており、前記第１単位長さの整数倍の倍数の値と、前記第２単位長さの整数倍の倍数の値は異なる、ことを特徴とする。
【０００８】
本開示の電子機器は、上記タッチ検出機能付き表示装置を備えたものである。本開示の電子機器は、例えば、テレビジョン装置、デジタルカメラ、パーソナルコンピュータ、ビデオカメラあるいは携帯電話等の携帯端末装置などが該当する。
【発明の効果】
【０００９】
本開示のタッチ検出機能付き表示装置及び電子機器によれば、金属材料などの導電性材料のタッチ検出電極を用いつつ、モアレが視認される可能性を低減できる。
【図面の簡単な説明】
【００１０】
【図１】図１は、実施形態１に係るタッチ検出機能付き表示装置の一構成例を表すブロック図である。
【図２】図２は、静電容量型タッチ検出方式の基本原理を説明するため、指が接触又は近接していない状態を表す説明図である。
【図３】図３は、図２に示す指が接触又は近接していない状態の等価回路の例を示す説明図である。
【図４】図４は、静電容量型タッチ検出方式の基本原理を説明するため、指が接触又は近接した状態を表す説明図である。
【図５】図５は、図４に示す指が接触又は近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示デバイスの概略断面構造を表す断面図である。
【図１０】図１０は、実施形態１に係るタッチ検出機能付き表示デバイスの画素配置を表す回路図である。
【図１１】図１１は、実施形態１に係るタッチ検出機能付き表示デバイスの駆動電極及びタッチ検出電極の一構成例を表す斜視図である。
【図１２】図１２は、実施形態１に係るタッチ検出機能付き表示装置の一動作例を表すタイミング波形図である。
【図１３】図１３は、実施形態１に係るタッチ検出電極の配置を表す模式図である。
【図１４】図１４は、実施形態１に係る細線片の第１端部と第２端部との相対的な位置関係を説明する模式図である。
【図１５】図１５は、実施形態１に係るタッチ検出機能付き表示装置に対するモアレ評価を示した図である。
【図１６】図１６は、実施形態１の変形例１に係る細線片の第１端部と第２端部との相対的な位置関係を説明する模式図である。
【図１７】図１７は、実施形態１の変形例１に係るタッチ検出機能付き表示装置に対するモアレ評価を示した図である。
【図１８】図１８は、実施形態１の変形例２に係るタッチ検出電極の構成を説明するための模式図である。
【図１９】図１９は、実施形態２に係るタッチ検出電極の配置を表す模式図である。
【図２０】図２０は、実施形態３に係る細線片の第１端部と第２端部との相対的な位置関係を説明する模式図である。
【図２１】図２１は、実施形態４に係る画素配列方向を説明するための模式図である。
【図２２】図２２は、実施形態５に係るタッチ検出機能付き表示デバイスの概略断面構造を表す断面図である。
【図２３】図２３は、本実施形態に係るタッチ検出機能付き表示装置又は表示装置を適用する電子機器の一例を示す図である。
【図２４】図２４は、本実施形態に係るタッチ検出機能付き表示装置又は表示装置を適用する電子機器の一例を示す図である。
【図２５】図２５は、本実施形態に係るタッチ検出機能付き表示装置又は表示装置を適用する電子機器の一例を示す図である。
【図２６】図２６は、本実施形態に係るタッチ検出機能付き表示装置又は表示装置を適用する電子機器の一例を示す図である。
【図２７】図２７は、本実施形態に係るタッチ検出機能付き表示装置又は表示装置を適用する電子機器の一例を示す図である。
【図２８】図２８は、本実施形態に係るタッチ検出機能付き表示装置又は表示装置を適用する電子機器の一例を示す図である。
【図２９】図２９は、本実施形態に係るタッチ検出機能付き表示装置又は表示装置を適用する電子機器の一例を示す図である。
【図３０】図３０は、本実施形態に係るタッチ検出機能付き表示装置又は表示装置を適用する電子機器の一例を示す図である。
【図３１】図３１は、本実施形態に係るタッチ検出機能付き表示装置又は表示装置を適用する電子機器の一例を示す図である。
【図３２】図３２は、本実施形態に係るタッチ検出機能付き表示装置又は表示装置を適用する電子機器の一例を示す図である。
【図３３】図３３は、本実施形態に係るタッチ検出機能付き表示装置又は表示装置を適用する電子機器の一例を示す図である。
【図３４】図３４は、本実施形態に係るタッチ検出機能付き表示装置又は表示装置を適用する電子機器の一例を示す図である。
【図３５】図３５は、本実施形態に係るタッチ検出機能付き表示装置又は表示装置を適用する電子機器の一例を示す図である。
【発明を実施するための形態】
【００１１】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
１−３．実施形態３
１−４．実施形態４
１−５．実施形態５
２．適用例（電子機器）
上記実施形態に係るタッチ検出機能付き表示装置が電子機器に適用されている例
３．本開示の構成
【００１２】
＜１−１．実施形態１＞
［構成例］
（全体構成例）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した装置である。なお、タッチ検出機能付き表示デバイス１０は、表示素子として液晶表示素子を用いている液晶表示デバイス２０の上に、静電容量型のタッチ検出デバイス３０を装着した、装置であってもよい。なお、液晶表示デバイス２０は、例えば、有機ＥＬ表示デバイスであってもよい。
【００１３】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１４】
ゲートドライバ１２は、制御部１１から供給される制御信号に基づいて、タッチ検出機能付き表示デバイス１０の表示駆動の対象となる１水平ラインを順次選択する機能を有している。
【００１５】
ソースドライバ１３は、制御部１１から供給される制御信号に基づいて、タッチ検出機能付き表示デバイス１０の、後述する各副画素ＳＰｉｘに画素信号Ｖｐｉｘを供給する回路である。
【００１６】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００１７】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（後述する接触又は近接の状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００１８】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００１９】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置１におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、静電容量型タッチ検出方式の基本原理を説明するため、指が接触または近接した状態を表す説明図である。図５は、図４に示す指が接触または近接した状態の等価回路の例を示す説明図である。図６は、駆動信号及びタッチ検出信号の波形の一例を表す図である。
【００２０】
例えば、図２及び図４に示すように、容量素子Ｃ１、Ｃ１’は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２１】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２２】
指が接触（または近接）していない状態（非接触状態）では、図２及び図３に示すように、容量素子Ｃ１に対する充放電に伴って、容量素子Ｃ１の容量値に応じた電流Ｉ０が流れる。図６に示すように電圧検出器ＤＥＴは、交流矩形波Ｓｇに応じた電流Ｉ０の変動を電圧の変動（実線の波形Ｖ０）に変換する。
【００２３】
一方、指が接触（または近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２４】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２５】
タッチ検出デバイス３０は、複数の後述するタッチ検出電極ＴＤＬから、図３又は図５に示す電圧検出器ＤＥＴを介して、検出ブロック毎にタッチ検出信号Ｖｄｅｔを出力し、タッチ検出部４０のＡ／Ｄ変換部４３に供給するようになっている。
【００２６】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００２７】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００２８】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２９】
（モジュール）
図７及び図８は、タッチ検出機能付き表示装置を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を形成してもよい。
【００３０】
図７に示すように、タッチ検出機能付き表示装置１は、タッチ検出機能付き表示デバイス１０と、駆動電極ドライバ１４と、ＣＯＧ（Chip  On  Glass）１９Ａとを有している。このタッチ検出機能付き表示デバイス１０は、後述するＴＦＴ基板２１の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示デバイス１０の１辺に沿う方向に形成されており、タッチ検出電極ＴＤＬは、タッチ検出機能付き表示デバイス１０の他辺に沿う方向に形成されている。タッチ検出電極ＴＤＬの出力は、タッチ検出機能付き表示デバイス１０の前記他辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、タッチ検出機能付き表示装置１は、ＣＯＧ（Chip  On  Glass）に駆動電極ドライバ１４を内蔵してもよい。
【００３１】
図８に示すように、タッチ検出機能付き表示装置１は、モジュールはＣＯＧ１９Ｂを有している。図８に示すＣＯＧ１９Ｂは、上述した表示動作に必要な各回路に加え、駆動電極ドライバ１４をさらに内蔵したものである。タッチ検出機能付き表示装置１は、後述するように、表示動作の際に、１水平ラインずつ線順次走査を行う。つまり、タッチ検出機能付き表示装置１は、表示走査を、タッチ検出機能付き表示デバイス１０の１辺に沿う方向と平行に行う。一方、タッチ検出機能付き表示装置１は、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１は、タッチ検出走査を、タッチ検出機能付き表示デバイス１０の他辺に沿う方向と平行に行う。
【００３２】
（タッチ検出機能付き表示デバイス）
次に、タッチ検出機能付き表示デバイス１０の構成例を詳細に説明する。図９は、実施形態１に係るタッチ検出機能付き表示デバイスの概略断面構造を表す断面図である。図１０は、実施形態１に係るタッチ検出機能付き表示デバイスの画素配置を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３３】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin Film Transistor）素子Ｔｒ、図９に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１０に示す液晶表示デバイス２０は、行列状に配置した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソース又はドレインの一方は信号線ＳＧＬに接続され、ゲートは走査線ＧＣＬに接続され、ソース又はドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００３４】
図１０に示す副画素ＳＰｉｘは、走査線ＧＣＬにより、液晶表示デバイス２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、信号線ＳＧＬにより、液晶表示デバイス２０の同じ列に属する他の副画素ＳＰｉｘと互いに接続されている。信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが一本の駆動電極ＣＯＭＬを共有するようになっている。実施形態１の駆動電極ＣＯＭＬの延びる方向は、走査線ＧＣＬの延びる方向と平行である。実施形態１の駆動電極ＣＯＭＬの延びる方向は、限定されず、例えば、駆動電極ＣＯＭＬの延びる方向は、信号線ＳＧＬの延びる方向と平行な方向であってもよい。
【００３５】
図１に示すゲートドライバ１２は、走査信号Ｖｓｃａｎを、図１０に示す走査線ＧＣＬを介して、画素ＰｉｘのＴＦＴ素子Ｔｒのゲートに印加することにより、液晶表示デバイス２０に行列状に形成されている副画素ＳＰｉｘのうちの１行（１水平ライン）を表示駆動の対象として順次選択する。図１に示すソースドライバ１３は、画素信号Ｖｐｉｘを、図１０に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図８に示す、所定の本数の駆動電極ＣＯＭＬからなるブロックごとに駆動電極ＣＯＭＬを駆動する。
【００３６】
上述したように、液晶表示デバイス２０は、ゲートドライバ１２が走査線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００３７】
本実施形態に係る駆動電極ＣＯＭＬは、液晶表示デバイス２０の駆動電極として機能するとともに、タッチ検出デバイス３０の駆動電極としても機能する。図１１は、実施形態１に係るタッチ検出機能付き表示デバイスの駆動電極及びタッチ検出電極の一構成例を表す斜視図である。図１１に示す駆動電極ＣＯＭＬは、図９に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。なお、タッチ検出電極ＴＤＬ又は駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）は、櫛歯形状であってもよい。あるいはタッチ検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。
【００３８】
この構成により、タッチ検出デバイス３０では、タッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、タッチ検出電極ＴＤＬからタッチ検出信号Ｖｄｅｔを出力する。このようにタッチ検出デバイス３０は、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１１に示すように、互いに交差した電極パターンは、静電容量式タッチセンサを行列状に構成している。よって、タッチ検出デバイス３０のタッチ検出面全体にわたって走査することにより、外部近接物体の接触または近接が生じた位置の検出も可能となっている。
【００３９】
液晶層６は、電界の状態に応じてそこを通過する光を変調するものであり、例えば、ＦＦＳ（フリンジフィールドスイッチング）又はＩＰＳ（インプレーンスイッチング）等の横電界モードの液晶を用いた液晶表示デバイスが用いられる。なお、図９に示す液晶層６と画素基板２との間、及び液晶層６と対向基板３との間には、それぞれ配向膜が配設されてもよい。
【００４０】
対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４１】
図９に示すカラーフィルタ３２は、例えば赤（Ｒ）、緑（Ｇ）、青（Ｂ）の３色に着色されたカラーフィルタの色領域を周期的に配置して、上述した図１０に示す各副画素ＳＰｉｘにＲ、Ｇ、Ｂの３色の色領域３２Ｒ、３２Ｇ、３２Ｂ（図１０参照）が対応付けられ、色領域３２Ｒ、３２Ｇ、３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。このように、カラーフィルタ３２が存在しない領域、すなわち透光性な副画素ＳＰｉｘがあってもよい。
【００４２】
ここで、ガラス基板３１は、本開示における「基板」の一具体例に対応する。色領域３２Ｒ、３２Ｇ、３２Ｂは、本開示における「色領域」の一具体例に対応する。画素Ｐｉｘは、本開示における「画素」の一具体例に対応する。表示領域Ａｄは、本開示における「表示領域」の一具体例に対応する。タッチ検出電極ＴＤＬは、本開示における「タッチ検出電極」の一具体例に対応する。駆動電極ＣＯＭＬは、本開示における「駆動電極」の一具体例に対応する。液晶層６は、本開示における「表示機能層」の一具体例に対応する。
【００４３】
［動作及び作用］
続いて、実施形態１のタッチ検出機能付き表示装置１の動作及び作用について説明する。
【００４４】
駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００４５】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００４６】
表示期間Ｂでは、駆動電極ドライバ１４が１水平ラインに係る駆動電極ブロックに表示駆動信号Ｖｃｏｍｄを印加し、タッチ検出期間Ａでは、駆動電極ドライバ１４がタッチ検出動作に係る駆動電極ブロックに対してタッチ駆動信号Ｖｃｏｍｔを順次印加し、１検出ブロックを順次選択する。タッチ検出機能付き表示デバイス１０は、表示期間Ｂにおいて、ゲートドライバ１２、ソースドライバ１３、及び駆動電極ドライバ１４により供給された信号に基づいて表示動作を行う。タッチ検出機能付き表示デバイス１０は、タッチ検出期間Ａにおいて、駆動電極ドライバ１４により供給された信号に基づいてタッチ検出動作を行い、タッチ検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジタル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求める。
【００４７】
（詳細動作）
次に、タッチ検出機能付き表示装置１の詳細動作を説明する。図１２は、実施形態１に係るタッチ検出機能付き表示装置の一動作例を表すタイミング波形図である。図１２に示すように、液晶表示デバイス２０は、ゲートドライバ１２から供給される走査信号Ｖｓｃａｎに従って、走査線ＧＣＬのうちの、隣接する（ｎ−１）行目、ｎ行目、（ｎ＋１）行目の走査線ＧＣＬの１水平ラインずつ順次走査して表示を行う。同様に、駆動電極ドライバ１４は、制御部１１から供給される制御信号に基づいて、タッチ検出機能付き表示デバイス１０の、駆動電極ＣＯＭＬのうちの、隣接する（ｍ−１）列目、ｍ列目、（ｍ＋１）列目に供給する。
【００４８】
このように、タッチ検出機能付き表示装置１では、１表示水平期間（１Ｈ）ごとに、タッチ検出動作（タッチ検出期間Ａ）と表示動作（表示期間Ｂ）を時分割的に行う。タッチ検出動作では、１表示水平期間１Ｈごとに、異なる駆動電極ＣＯＭＬを選択して駆動信号Ｖｃｏｍを印加することにより、タッチ検出の走査を行う。以下に、その動作を詳細に説明する。
【００４９】
まず、ゲートドライバ１２が、（ｎ−１）行目の走査線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００５０】
次に、タッチ検出期間Ａにおいて、駆動電極ドライバ１４が、（ｍ−１）列目の駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１では、１検出ラインのタッチ検出が行われる。
【００５１】
次に、表示期間Ｂにおいて、ソースドライバ１３が、信号線ＳＧＬに対して画素信号Ｖｐｉｘを印加し、１水平ラインに対する表示を行う。なお、図１２に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査線ＧＣＬの走査信号Ｖｓｃａｎ（ｎ−１）を高レベルから低レベルに変化させ、１表示水平期間が終了する。
【００５２】
次に、ゲートドライバ１２は、先ほどとは異なるｎ行目の走査線ＧＣＬに対して走査信号Ｖｓｃａｎを印加し、走査信号Ｖｓｃａｎ（ｎ）が低レベルから高レベルに変化する。これにより、次の１表示水平期間が開始する。
【００５３】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００５４】
次に、表示期間Ｂにおいて、ソースドライバ１３が、信号線ＳＧＬに対して画素信号Ｖｐｉｘを印加し、１水平ラインに対する表示を行う。また、駆動電極ドライバ１４が表示駆動信号Ｖｃｏｍｄを駆動電極ＣＯＭＬに共通電位として印加している。ここで、表示駆動信号Ｖｃｏｍｄの電位は、例えば、タッチ検出期間Ａにおける駆動信号Ｖｃｏｍｔの低レベルの電位となっている。なお、本実施形態のタッチ検出機能付き表示装置１はドット反転駆動を行うため、ソースドライバ１３が印加する画素信号Ｖｐｉｘは、前の１表示水平期間のものと比べて、その極性が反転している。この表示期間Ｂが終了した後、この１表示水平期間１Ｈが終了する。
【００５５】
これ以降、上述した動作を繰り返すことにより、タッチ検出機能付き表示装置１は、表示面全面にわたる走査により表示動作を行うとともに、タッチ検出面全面にわたる走査によりタッチ検出動作を行う。
【００５６】
タッチ検出機能付き表示装置１では、１表示水平期間（１Ｈ）において、タッチ検出動作はタッチ検出期間Ａに行い、表示動作は表示期間Ｂに行うようにしている。このように、タッチ検出動作と表示動作とを別々の期間に行うようにしたので、同じ１表示水平期間において表示動作とタッチ検出動作の両方を行うことができるとともに、表示動作のタッチ検出に対する影響を抑えることができる。
【００５７】
（タッチ検出電極の配置）
図１３は、実施形態１に係るタッチ検出電極ＴＤＬの配置を表す模式図である。図１４は、実施形態１に係る細線片の第１端部と第２端部との相対的な位置関係を説明する模式図である。図１５は、実施形態１に係るタッチ検出機能付き表示装置１に対するモアレ評価を示した図である。
【００５８】
図１３に示すように、実施形態１に係るタッチ検出電極ＴＤＬは、対向基板３と平行な平面上で画素配列方向Ｄｙに延在する複数の導電性細線ＭＬを含む。導電性細線ＭＬの端部ＭＬｅで第１導通部ＴＤＢ１を介して接続され、導電性細線ＭＬ同士は、検出領域ＴＤＡに属する。検出領域ＴＤＡにおいて、複数の導電性細線ＭＬは導通し、かつ互いに一定の間隔を有して延在する。複数の検出領域ＴＤＡは、互いに一定の間隔を有して延在している。複数の検出領域ＴＤＡは、第１導通部ＴＤＢ１同士が第２導通部ＴＤＢ２を介して接続され導通している。第２導通部ＴＤＢ２は、検出配線ＴＤＧを介して図１に示すタッチ検出部４０に接続される。また、第１導通部ＴＤＢ１及び第２導通部ＴＤＢ２は、導電性細線ＭＬと同じ材料で形成される。上記の構成により、導電性細線ＭＬの数を減らせると同時に、一定の範囲に対して複数の導電性細線ＭＬでタッチ検出を行うため、タッチ検出を行う際の抵抗を低くすることができる。
【００５９】
導電性細線ＭＬは、細線片Ｕａと細線片Ｕｂを含む。細線片Ｕａは、画素配列方向Ｄｙに対して角度を有して延びる導電性材料のパターンであり、第１端部Ｕａ１と第２端部Ｕａ２を含む。同様に、細線片Ｕｂは、細線片Ｕａが伸びる方向と異なる方向に延びる導電性材料のパターンであり、第１端部Ｕｂ１と第２端部Ｕｂ２を含む。細線片Ｕａと細線片Ｕｂとは、細線片Ｕａの第２端部Ｕａ２と細線片Ｕｂの第１端部Ｕｂ１とが接続され導通している。
【００６０】
また、細線片Ｕａの第２端部Ｕａ２と細線片Ｕｂの第１端部Ｕｂ１との接続部は、導電性細線ＭＬの屈曲部ＴＤＣとなり、細線片Ｕａと細線片Ｕｂとは、屈曲部ＴＤＣごとに所定の角度で折り返されている。例えば、実施形態１に係る導電性細線ＭＬは、細線片Ｕａの長さと細線片Ｕｂの長さは等しい。そして、細線片Ｕａの延びる方向が画素配列方向Ｄｙに対してなす角度の大きさと、細線片Ｕｂの延びる方向が画素配列方向Ｄｙに対してなす角度の大きさは等しい。実施形態１に係る導電性細線ＭＬは、屈曲部ＴＤＣ毎に画素直交方向Ｄｘに屈曲する方向が変化している。細線片Ｕａ及び細線片Ｕｂの幅は、２μｍ以上かつ１０μｍ以下の範囲にあるのが好ましい。細線片Ｕａ及び細線片Ｕｂの幅は、１０μｍより大きいと人間に視認される可能性があり、幅が２μｍ未満であると抵抗が高くなるためである。
【００６１】
タッチ検出電極ＴＤＬの導電性細線ＭＬは、導電性の金属材料であって、アルミニウム（Ａｌ）、銅（Ｃｕ）、銀（Ａｇ）、モリブデン（Ｍｏ）、クロム（Ｃｒ）、タングステン（Ｗ）、これらの合金の金属材料で形成される。または、タッチ検出電極ＴＤＬの導電性細線ＭＬは、アルミニウム（Ａｌ）、銅（Ｃｕ）、銀（Ａｇ）、モリブデン（Ｍｏ）、クロム（Ｃｒ）、タングステン（Ｗ）、これらの酸化物（金属酸化物）で形成され、導電性を有している。導電性細線ＭＬは、上述した金属材料と、上述した金属酸化物とを１以上積層した積層体でパターニングされていてもよい。導電性細線ＭＬは、上述した金属材料または金属酸化物と、透光性電極の材料としてＩＴＯ（Indium  Tin  Oxide）等の透光性導電酸化物とを１以上積層した積層体でパターニングされていてもよい。導電性細線ＭＬは、透光性電極の材料としてＩＴＯ（Indium  Tin  Oxide）等の透光性導電酸化物よりも低抵抗である。導電性細線ＭＬの材料は、同じ膜厚での透過率がＩＴＯ（Indium  Tin  Oxide）の透過率よりも低い。例えば、導電性細線ＭＬの材料は、透過率が１０％以下であってもよい。
【００６２】
図１３に示すように、複数の検出領域ＴＤＡは、互いに一定の間隔を有して配置されている。タッチ検出電極ＴＤＬの導電性細線ＭＬが配置される領域と、タッチ検出電極ＴＤＬの導電性細線ＭＬがない領域とでは、遮光性に差があるので、タッチ検出電極ＴＤＬが視認されやすくなる可能性がある。このため、対向基板３には、検出配線ＴＤＧに接続されていないダミー電極ＴＤＤが隣り合う検出領域ＴＤＡの間に配置されている。ダミー電極ＴＤＤは、タッチ検出電極ＴＤＬの導電性細線ＭＬと同じ材料で形成される。ダミー電極ＴＤＤは、タッチ検出電極ＴＤＬと同程度の遮光性を有していれば、異なる材料であってもよい。
【００６３】
また、図１３に示すダミー電極ＴＤＤは、細線片Ｕｃ及び細線片Ｕｄを含む。細線片Ｕｃは、細線片Ｕａと同程度の大きさを有し、細線片Ｕａの延びる方向と平行に配置されている。細線片Ｕｄは、細線片Ｕｂと同程度の大きさを有し、細線片Ｕｂの延びる方向と平行に配置されている。これにより、タッチ検出電極ＴＤＬが配置される領域と、そうでない領域との遮光性の差が小さくなるため、タッチ検出電極ＴＤＬが視認される可能性を低減できる。
【００６４】
ダミー電極ＴＤＤは、細線片Ｕｃと細線片Ｕｄとの間に、導電性細線ＭＬと同じ材料がないスリットである分割部ＴＤＤＳを有する。このため、分割部ＴＤＤＳは、細線片Ｕｃと細線片Ｕｄとの電気的な導通を妨げ、タッチ検出電極との容量差を生じさせる。このため、タッチ検出の際、指がタッチ検出電極ＴＤＬとダミー電極ＴＤＤとの両方に近接した場合でも、ダミー電極ＴＤＤが、図６で示した絶対値｜ΔＶ｜に与える影響を小さくすることができる。このように、ダミー電極ＴＤＤは、分割部ＴＤＤＳがタッチ検出電極ＴＤＬの導電性細線ＭＬの面積よりも小さく分割することにより、タッチ検出の精度への影響を小さくできる。以下説明する実施形態及び変形例における、細線片Ｕａが延びる方向に関する説明は、細線片Ｕｃが延びる方向についても適用できる。また、細線片Ｕｂが延びる方向に関する説明は、細線片Ｕｄが延びる方向についても適用できる。
【００６５】
次に、図１３及び図１４に示す画素配列方向Ｄｙと画素直交方向Ｄｘについて説明する。上述したように、表示領域Ａｄは、各副画素ＳＰｉｘに色領域３２Ｒ、３２Ｇ、３２Ｂが対応付けられ、色領域３２Ｒ、３２Ｇ、３２Ｂを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂがそれぞれ走査線ＧＣＬを挟んで隣り合うように配置する。
【００６６】
画素配列方向Ｄｙは、人間の視感度が最も高い色領域が並ぶ方向である。画素直交方向Ｄｘは、対向基板３の表面と平行な平面上において画素配列方向Ｄｙに対して直交する方向である。Ｒ（赤）、Ｇ（緑）、Ｂ（青）の３色のなかでは、人間の視感度が最も高い色はＧ（緑）である。図１４で、色領域３２Ｇが並ぶのは信号線ＳＧＬと平行な方向であるため、実施形態１における画素配列方向Ｄｙは信号線ＳＧＬと平行な方向となる。
【００６７】
細線片Ｕａの第１端部Ｕａ１と第２端部Ｕａ２との相対的な位置関係の説明のため、図１４において、走査線ＧＣＬと信号線ＳＧＬの交差部のうちで任意の点を原点Ｐ００とし、原点Ｐ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ１であり、ｙ方向の画素Ｐｉｘ１つ分の最大長さは、第２単位長さＬｙ１である。
【００６８】
例えば、原点Ｐ００からｘ方向に第１単位長さＬｘ１進み、さらにｙ方向に第２単位長さＬｙ１進んだ点の座標は（１，１）となる。このｘｙ座標において、点Ｐ０１は、座標が（０，１）の点である。点Ｐ１５は、座標が（１，５）の点である。点Ｐ１４は、座標が（１，４）の点である。点Ｐ１３は、座標が（１，３）の点である。点Ｐ１２は、座標が（１，２）の点である。点Ｐ３５は、座標が（３，５）の点である。点Ｐ２３は、座標が（２，３）の点である。点Ｐ３４は、座標が（３，４）の点である。点Ｐ４５は、座標が（４，５）の点である。点Ｐ５６は、座標が（５，６）の点である。点Ｐ１１は、座標が（１，１）の点である。点Ｐ６５は、座標が（６，５）の点である。点Ｐ５４は、座標が（５，４）の点である。点Ｐ４３は、座標が（４，３）の点である。点Ｐ３２は、座標が（３，２）の点である。点Ｐ５３は、座標が（５，３）の点である。点Ｐ２１は、座標が（２，１）の点である。点Ｐ３１は、座標が（３，１）の点である。点Ｐ４１は、座標が（４，１）の点である。点Ｐ５１は、座標が（５，１）の点である。点Ｐ１０は、座標が（１，０）の点である。
【００６９】
（評価例）
ここで、細線片Ｕａの第１端部Ｕａ１を点Ｐ００の位置としたときの、第２端部Ｕａ２
が位置する方向を変化させて、モアレの視認について評価を行った。以下、評価結果は、図１５に示す評価例１から２１として説明する。
【００７０】
（評価例１）
評価例１に係る導電性細線は、画素配列方向Ｄｙに平行な細線片が、画素配列方向Ｄｙに複数連なっている。
【００７１】
（評価例２）
評価例２に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ１５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７２】
（評価例３）
評価例３に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ１４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７３】
（評価例４）
評価例４に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ１３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７４】
（評価例５）
評価例５に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ１２に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７５】
（評価例６）
評価例６に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ３５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７６】
（評価例７）
評価例７に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ２３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７７】
（評価例８）
評価例８に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ３４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７８】
（評価例９）
評価例９に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ４５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００７９】
（評価例１０）
評価例１０に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ５６に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８０】
（評価例１１）
評価例１１に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ１１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８１】
（評価例１２）
評価例１２に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ６５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８２】
（評価例１３）
評価例１３に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ５４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８３】
（評価例１４）
評価例１４に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ４３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８４】
（評価例１５）
評価例１５に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ３２に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８５】
（評価例１６）
評価例１６に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ５３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８６】
（評価例１７）
評価例１７に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ２１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８７】
（評価例１８）
評価例１８に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ３１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８８】
（評価例１９）
評価例１９に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ４１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００８９】
（評価例２０）
評価例２０に係る導電性細線は、細線片Ｕａと細線片Ｕｂが交互に連なっている。細線片Ｕａは、細線片Ｕａの第１端部Ｕａ１が点Ｐ００にあるとき、第２端部Ｕａ２は点Ｐ００から目標位置である点Ｐ５１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【００９０】
（評価例２１）
評価例２１に係る導電性細線は、画素直交方向Ｄｘに平行な細線片が、画素直交方向Ｄｘに複数連なっている。
【００９１】
［評価］
モアレ評価は、評価例１から評価例２１に対応するタッチ検出機能付き表示装置１の表示画像を、人間の目で見た場合のモアレの見え方を４段階に評価している。具体的には、モアレ評価の基準は、タッチ検出機能付き表示装置１の表面と人間の目との距離が３０ｃｍ未満でもモアレが視認できない場合を二重丸（◎）としている。また、モアレ評価の基準は、タッチ検出機能付き表示装置１と人間の目との距離が３０ｃｍ以上であればモアレが視認できない場合を丸（○）としている。また、モアレ評価の基準は、タッチ検出機能付き表示装置１と人間の目との距離が６０ｃｍ以上であればモアレが視認できない場合を三角（△）としている。そして、モアレ評価の基準は、タッチ検出機能付き表示装置１と人間の目との距離が６０ｃｍ以上であってもモアレが視認できる場合をバツ（×）としている。
【００９２】
評価例６から１０及び評価例１２から１６は、細線片Ｕａの第２端部Ｕａ２が第１端部Ｕａ１から目標位置に向かう方向にあり、目標位置は第１端部Ｕａ１に対して、画素直交方向Ｄｘにおいて第１単位長さＬｘ１の整数倍で２以上の倍数で離れ、画素配列方向Ｄｙにおいて第２単位長さＬｙ１の整数倍で２以上の倍数で離れており、第１単位長さＬｘ１の整数倍の倍数の値と、第２単位長さＬｙ１の整数倍の倍数の値とは異なる、という第１条件を満たしている。そして、第１条件を満たす、実施形態１に係る導電性細線ＭＬは、図１５に示すように評価例６から１０及び評価例１２から１６の、モアレ評価が◎、○及び△であり、モアレの視認が抑制されている。
【００９３】
また、評価例６、評価例８から１０、評価例１２から１４及び評価例１６は、第１単位長さＬｘ１の整数倍の倍数の値と、第２単位長さＬｙ１の整数倍の倍数の値は３以上である、という第２条件を満たしている。そして、第２条件を満たす評価例６、評価例８から１０、評価例１２から１４及び評価例１６は、モアレ評価が◎または○であり、さらにモアレの視認が抑制されている。
【００９４】
評価例８から１０及び評価例１２から１４は、第１単位長さＬｘ１の整数倍の倍数の値と、第２単位長さＬｙ１の整数倍の倍数の値との差は１である、という第３条件を満たしている。そして、評価例８から１０及び評価例１２から１４の場合には、モアレ評価が◎であり、さらにモアレの視認が抑制されている。
【００９５】
［作用効果］
画素Ｐｉｘは、上記のように、走査線ＧＣＬに平行な方向及び信号線ＳＧＬに平行な方向に沿って行列状に配置されている。走査線ＧＣＬ及び信号線ＳＧＬがブラックマトリックスで覆われている場合は、ブラックマトリックスが光の透過を抑制する。走査線ＧＣＬ及び信号線ＳＧＬがブラックマトリックスで覆われていない場合は、走査線ＧＣＬ及び信号線ＳＧＬが光の透過を抑制する。実施形態１において走査線ＧＣＬに平行な方向に沿った、画素直交方向Ｄｘと平行な複数の直線状の模様であって、周期性を有する模様が、表示領域Ａｄ上に現れやすくなる。また、信号線ＳＧＬに平行な方向に沿った、画素配列方向Ｄｙと平行な複数の直線によって、周期性を有する模様が、表示領域Ａｄ上に現れやすくなる。このため、表示領域Ａｄの表面に対して垂直な方向に、タッチ検出電極ＴＤＬを重ねた場合、表示領域Ａｄ上に現れる模様とタッチ検出電極ＴＤＬが干渉し明暗模様を形成することで、モアレが視認される可能性がある。
【００９６】
実施形態１に係るタッチ検出機能付き表示装置１は、導電性細線ＭＬが、上述した第１条件を満たす細線片Ｕａを含むことで、明暗模様の周期が、人間が視認できない程度に短くなりやすくなる。例えば、実施形態１に係る細線片Ｕａは、画素直交方向Ｄｘ及び画素配列方向Ｄｙに対して、角度を有して延びている。上述した第１条件を満たせば、当該角度が一定の大きさ以上となるために、明暗模様の周期が短くなりやすい。その結果、実施形態１に係るタッチ検出機能付き表示装置１は、導電性細線ＭＬが、上述した第１条件を満たす細線片Ｕａを含むことで、モアレが視認される可能性を低減できる。
【００９７】
さらに、細線片Ｕａが第１条件を満たした上で、第２条件を満たせば、さらにモアレが視認される可能性を低減できる。上述した明暗模様の周期が、さらに短くなるためである。
【００９８】
さらに、細線片Ｕａが第１条件及び第２条件を満たした上で、第３条件を満たせば、さらにモアレが視認される可能性を低減できる。上述した明暗模様の周期が、さらに短くなるためである。
【００９９】
また、実施形態１に係るタッチ検出機能付き表示装置１は、細線片Ｕａ及び細線片Ｕｂが共に第１条件を満たす場合、モアレが視認される可能性を低減できる。また、実施形態１に係るタッチ検出機能付き表示装置１は、細線片Ｕａ及び細線片Ｕｂが共に第２条件を満たす場合は、さらにモアレが視認される可能性を低減できる。そして、実施形態１に係るタッチ検出機能付き表示装置１は、細線片Ｕａ及び細線片Ｕｂが共に第３条件を満たす場合は、さらにモアレが視認される可能性を低減できる。
【０１００】
なお、タッチ検出電極ＴＤＬと駆動電極ＣＯＭＬとが金属材料などの導電性材料で形成される場合、電蝕が発生する可能性がある。このため、実施形態１に係るタッチ検出機能付き表示装置１は、タッチ検出電極ＴＤＬと駆動電極ＣＯＭＬとが、ガラス基板３１の表面に対する垂直方向において、ガラス基板３１を挟んで異なる面上に位置している。これにより、実施形態１に係るタッチ検出機能付き表示装置１は、電蝕の発生を抑えることができる。さらに、駆動電極ＣＯＭＬは、透光性の材料で形成されるのが好ましい。これにより、タッチ検出電極ＴＤＬと駆動電極ＣＯＭＬとの干渉によるモアレが視認される可能性を低減できる。
【０１０１】
さらに、駆動電極ＣＯＭＬは、ガラス基板３１の表面に垂直な方向において対向するＴＦＴ基板２１上にある。ガラス基板３１の表面と駆動電極ＣＯＭＬとが、ガラス基板３１の表面に対する垂直方向において離れている場合は、人間が視認する角度によって、表示領域Ａｄ上に現れる模様の周期と駆動電極ＣＯＭＬの配置の周期との差が変化する。しかし、ＴＦＴ基板２１上に駆動電極ＣＯＭＬを配置することで、人間が視認する角度に応じた、表示領域Ａｄ上に現れる模様の周期と駆動電極ＣＯＭＬの配置の周期との差の変化を小さくすることができる。また、実施形態１に係る駆動電極ＣＯＭＬは、上述した画素配列方向Ｄｙまたは画素直交方向Ｄｘに延在するように配置される。これにより、駆動電極ＣＯＭＬが走査線ＧＣＬに平行な方向または信号線ＳＧＬに平行な方向に延在し、開口率が低くなる可能性を低減できる。
【０１０２】
［実施形態１の変形例１］
図１６は、実施形態１の変形例１に係る細線片の第１端部と第２端部との相対的な位置関係を説明する模式図である。図１７は、実施形態１の変形例１に係る各評価例に対するモアレ評価を示した図である。表示領域Ａｄは、各副画素ＳＰｉｘに色領域３２Ｒ、３２Ｇ、３２Ｂ、３２Ｗが対応付けられ、色領域３２Ｒ、３２Ｇ、３２Ｂ、３２Ｗを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂ、３２Ｗがそれぞれ走査線ＧＣＬを挟んで隣り合うように配置する。
【０１０３】
画素配列方向Ｄｙは、人間の視感度が最も高い色領域が並ぶ方向である。Ｒ（赤）、Ｇ（緑）、Ｂ（青）、Ｗ（白）の４色のなかでは、人間の視感度が最も高い色はＷ（白）である。図１６において、色領域３２Ｗが並ぶのは信号線ＳＧＬと平行な方向であるため、画素配列方向Ｄｙは信号線ＳＧＬと平行な方向となる。
【０１０４】
細線片Ｕａの第１端部Ｕａ１と第２端部Ｕａ２との相対的な位置関係の説明のため、図１６において、走査線ＧＣＬと信号線ＳＧＬの交差部のうちで任意の点を原点Ｑ００とし、原点Ｑ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ２であり、ｙ方向の画素Ｐｉｘ１つ分の最大長さは、第２単位長さＬｙ２である。
【０１０５】
例えば、原点Ｑ００からｘ方向に第１単位長さＬｘ２進み、さらにｙ方向に第２単位長さＬｙ２進んだ点の座標は（１，１）となる。このｘｙ座標において、点Ｑ０１は、座標が（０，１）の点である。点Ｑ１５は、座標が（１，５）の点である。点Ｑ１４は、座標が（１，４）の点である。点Ｑ１３は、座標が（１，３）の点である。点Ｑ１２は、座標が（１，２）の点である。点Ｑ３５は、座標が（３，５）の点である。点Ｑ２３は、座標が（２，３）の点である。点Ｑ３４は、座標が（３，４）の点である。点Ｑ４５は、座標が（４，５）の点である。点Ｑ５６は、座標が（５，６）の点である。点Ｑ１１は、座標が（１，１）の点である。点Ｑ６５は、座標が（６，５）の点である。点Ｑ５４は、座標が（５，４）の点である。点Ｑ４３は、座標が（４，３）の点である。点Ｑ３２は、座標が（３，２）の点である。点Ｑ５３は、座標が（５，３）の点である。点Ｑ２１は、座標が（２，１）の点である。点Ｑ３１は、座標が（３，１）の点である。点Ｑ４１は、座標が（４，１）の点である。点Ｑ５１は、座標が（５，１）の点である。点Ｑ１０は、座標が（１，０）の点である。
【０１０６】
（評価例）
ここで、細線片Ｕａの第１端部Ｕａ１を点Ｑ００の位置としたときの、第２端部Ｕａ２
が位置する方向を変化させて、モアレの視認について評価を行った。以下、評価結果は、図１７に示す評価例２２から４２として説明する。
【０１０７】
（評価例２２）
評価例２２に係る導電性細線は、画素配列方向Ｄｙに平行な細線片が、画素配列方向Ｄｙに複数連なっている。
【０１０８】
（評価例２３）
評価例２３に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ１５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１０９】
（評価例２４）
評価例２４に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ１４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１０】
（評価例２５）
評価例２５に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ１３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１１】
（評価例２６）
評価例２６に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ１２に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１２】
（評価例２７）
評価例２７に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ３５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１３】
（評価例２８）
評価例２８に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ２３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１４】
（評価例２９）
評価例２９に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ３４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１５】
（評価例３０）
評価例３０に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ４５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１６】
（評価例３１）
評価例３１に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ５６に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１７】
（評価例３２）
評価例３２に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ１１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１８】
（評価例３３）
評価例３３に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ６５に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１１９】
（評価例３４）
評価例３４に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ５４に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２０】
（評価例３５）
評価例３５に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ４３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２１】
（評価例３６）
評価例３６に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ３２に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２２】
（評価例３７）
評価例３７に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ５３に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２３】
（評価例３８）
評価例３８に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ２１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２４】
（評価例３９）
評価例３９に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ３１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２５】
（評価例４０）
評価例４０に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ４１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２６】
（評価例４１）
評価例４１に係る導電性細線は、細線片Ｕａと細線片Ｕｂが交互に連なっている。細線片Ｕａは、細線片Ｕａの第１端部Ｕａ１が点Ｑ００にあるとき、第２端部Ｕａ２は点Ｑ００から目標位置である点Ｑ５１に向かう方向にあるように配置される。細線片Ｕｂは、細線片Ｕａが延びる方向と異なる方向に延びる。また、一方の細線片が画素配列方向Ｄｙに対してなす角度の大きさと、他方の細線片が画素配列方向Ｄｙに対してなす角度の大きさは等しい。
【０１２７】
（評価例４２）
評価例４２に係る導電性細線は、画素直交方向Ｄｘに平行な細線片が、画素直交方向Ｄｘに複数連なっている。
【０１２８】
［評価］
モアレ評価は、評価例２２から評価例４２に対応するタッチ検出機能付き表示装置１の表示画像を、人間の目で見た場合のモアレの見え方を評価したものである。モアレの評価基準は、実施形態１と同じである。
【０１２９】
評価例２７から３１及び評価例３３から３７は、細線片Ｕａの第２端部Ｕａ２が第１端部Ｕａ１から目標位置に向かう方向にあり、目標位置は第１端部Ｕａ１に対して、画素直交方向Ｄｘにおいて第１単位長さＬｘ２の整数倍で２以上の倍数で離れ、画素配列方向Ｄｙにおいて第２単位長さＬｙ２の整数倍で２以上の倍数で離れており、第１単位長さＬｘ２の整数倍の倍数の値と、第２単位長さＬｙ２の整数倍の倍数の値とは異なる、という第１条件を満たしている。そして、評価例２７から３１及び評価例３３から３７の場合には、モアレ評価が◎、○及び△であり、モアレの視認が抑制されている。
【０１３０】
評価例２７、評価例２９から３１、評価例３３から３５及び評価例３７は、第１単位長さＬｘ２の整数倍の倍数の値と、第２単位長さＬｙ２の整数倍の倍数の値は３以上である、という第２条件を満たしている。そして、評価例２７、評価例２９から３１、評価例３３から３５及び評価例３７は、モアレ評価が◎または○であり、さらにモアレの視認が抑制されている。
【０１３１】
評価例２９から３１及び評価例３３から３５は、第１単位長さＬｘ２の整数倍の倍数の値と、第２単位長さＬｙ２の整数倍の倍数の値との差は１である、という第３条件を満たしている。評価例２９から３１及び評価例３３から３５の場合には、モアレ評価が◎であり、さらにモアレの視認が抑制されている。
【０１３２】
［作用効果］
実施形態１の変形例１に係るタッチ検出機能付き表示装置１は、導電性細線ＭＬが、上述した第１条件を満たす細線片Ｕａを含むことで、明暗模様の周期が、人間が視認できない程度に短くなりやすくなる。例えば、実施形態１の変形例１に係る細線片Ｕａは、画素直交方向Ｄｘ及び画素配列方向Ｄｙに対して、角度を有して延びている。上述した第１条件を満たせば、当該角度が一定の大きさ以上となるために、明暗模様の周期が短くなりやすい。その結果、実施形態１の変形例１に係るタッチ検出機能付き表示装置１は、導電性細線ＭＬが、上述した第１条件を満たす細線片Ｕａを含むことで、モアレが視認される可能性を低減できる。
【０１３３】
さらに、細線片Ｕａが第１条件を満たした上で、第２条件を満たせば、さらにモアレが視認される可能性を低減できる。上述した明暗模様の周期が、さらに短くなるためである。
【０１３４】
さらに、細線片Ｕａが第１条件及び第２条件を満たした上で、第３条件を満たせば、さらにモアレが視認される可能性を低減できる。上述した明暗模様の周期が、さらに短くなるためである。
【０１３５】
また、実施形態１の変形例１に係るタッチ検出機能付き表示装置１は、細線片Ｕａ及び細線片Ｕｂが共に第１条件を満たす場合、モアレが視認される可能性を低減できる。また、実施形態１の変形例１に係るタッチ検出機能付き表示装置１は、細線片Ｕａ及び細線片Ｕｂが共に第２条件を満たす場合は、さらにモアレが視認される可能性を低減できる。そして、実施形態１の変形例１に係るタッチ検出機能付き表示装置１は、細線片Ｕａ及び細線片Ｕｂが共に第３条件を満たす場合は、さらにモアレが視認される可能性を低減できる。
【０１３６】
［実施形態１の変形例２］
図１８は、実施形態１の変形例２に係るタッチ検出電極ＴＤＬの構成を説明するための模式図である。実施形態１における、細線片Ｕａと細線片Ｕｂとは、細線片Ｕａの第２端部Ｕａ２と細線片Ｕｂの第１端部Ｕｂ１との接続部である屈曲部ＴＤＣから、画素直交方向Ｄｘにおいて同じ方向に延びている。これに対して、実施形態１の変形例２は、屈曲部ＴＣＤで隣り合う細線片が、屈曲部ＴＤＣから画素直交方向Ｄｘにおいて異なる方向に延びる部分を含む。
【０１３７】
図１８は、実施形態１の変形例２に係る導電性細線ＭＬの一部を拡大した図である。導電性細線ＭＬは、細線片Ｕｅ、細線片Ｕｆ、細線片Ｕｇ、細線片Ｕｈ、細線片Ｕｉ及び細線片Ｕｊが接続された部分を含む。
【０１３８】
細線片Ｕｅと細線片Ｕｆとは、細線片Ｕｅの第２端部Ｕｅ２と細線片Ｕｆの第１端部Ｕｆ１とが接続され導通している。細線片Ｕｅの第２端部Ｕｅ２と細線片Ｕｆの第１端部Ｕｆ１とが接続される部分が屈曲部ＴＤＣ１である。細線片Ｕｅと細線片Ｕｆとは、屈曲部ＴＤＣ１から、画素直交方向Ｄｘにおいて異なる方向に延びている。
【０１３９】
細線片Ｕｆと細線片Ｕｇとは、細線片Ｕｆの第２端部Ｕｆ２と細線片Ｕｇの第１端部Ｕｇ１とが接続され導通している。細線片Ｕｆの第２端部Ｕｆ２と細線片Ｕｇの第１端部Ｕｇ１とが接続される部分が屈曲部ＴＤＣ２である。細線片Ｕｆと細線片Ｕｇとは、屈曲部ＴＤＣ２から、画素直交方向Ｄｘにおいて異なる方向に延びている。
【０１４０】
細線片Ｕｇと細線片Ｕｈとは、細線片Ｕｇの第２端部Ｕｇ２と細線片Ｕｈの第１端部Ｕｈ１とが接続され導通している。細線片Ｕｇの第２端部Ｕｇ２と細線片Ｕｈの第１端部Ｕｈ１とが接続される部分が屈曲部ＴＤＣ３である。細線片Ｕｇと細線片Ｕｈとは、屈曲部ＴＤＣ３から、画素直交方向Ｄｘにおいて同じ方向に延びている。
【０１４１】
細線片Ｕｈと細線片Ｕｉとは、細線片Ｕｈの第２端部Ｕｈ２と細線片Ｕｉの第１端部Ｕｉ１とが接続され導通している。細線片Ｕｈの第２端部Ｕｈ２と細線片Ｕｉの第１端部Ｕｉ１とが接続される部分が屈曲部ＴＤＣ４である。細線片Ｕｈと細線片Ｕｉとは、屈曲部ＴＤＣ４から、画素直交方向Ｄｘにおいて異なる方向に延びている。
【０１４２】
細線片Ｕｉと細線片Ｕｊとは、細線片Ｕｉの第２端部Ｕｉ２と細線片Ｕｊの第１端部Ｕｊ１とが接続され導通している。細線片Ｕｉの第２端部Ｕｉ２と細線片Ｕｊの第１端部Ｕｊ１とが接続される部分が屈曲部ＴＤＣ５である。細線片Ｕｉと細線片Ｕｊとは、屈曲部ＴＤＣ５から、画素直交方向Ｄｘにおいて異なる方向に延びている。
【０１４３】
［作用効果］
実施形態１の変形例２に係るタッチ検出機能付き表示装置１は、実施形態１で示した第１条件を満たす、細線片Ｕｅ、細線片Ｕｆ、細線片Ｕｇ、細線片Ｕｈ、細線片Ｕｉ及び細線片Ｕｊのいずれか少なくとも１つを含むことで、モアレが視認される可能性を低減できる。上述した明暗模様の周期は、細線片Ｕｅ、細線片Ｕｆ、細線片Ｕｇ、細線片Ｕｈ、細線片Ｕｉ及び細線片Ｕｊがある領域ごとで異なるため、明暗模様の周期を人間が視認できない程度に目立たなくさせるためである。
【０１４４】
実施形態１の変形例２に係る細線片Ｕｅ、細線片Ｕｆ、細線片Ｕｇ、細線片Ｕｈ、細線片Ｕｉ及び細線片Ｕｊは、画素直交方向Ｄｘ及び画素配列方向Ｄｙに対して、角度を有して延びている。実施形態１の変形例２に係る細線片Ｕｅ、細線片Ｕｆ、細線片Ｕｇ、細線片Ｕｈ、細線片Ｕｉ及び細線片Ｕｊの一部が第１条件を満たせば、当該角度が一定の大きさ以上となるために、明暗模様の周期が短くなるのである。さらに、実施形態１の変形例２に係る細線片Ｕｅ、細線片Ｕｆ、細線片Ｕｇ、細線片Ｕｈ、細線片Ｕｉ及び細線片Ｕｊの全部が第１条件を満たせば、当該角度が一定の大きさ以上となるために、明暗模様の周期がより短くなる。細線片Ｕｅ、細線片Ｕｆ、細線片Ｕｇ、細線片Ｕｈ、細線片Ｕｉ及び細線片Ｕｊが第１条件を満たした上で、第２条件を満たせば、さらにモアレが視認される可能性を低減できる。前記明暗模様の周期が、さらに短くなるためである。
【０１４５】
さらに、細線片Ｕｅ、細線片Ｕｆ、細線片Ｕｇ、細線片Ｕｈ、細線片Ｕｉ及び細線片Ｕｊが第１条件及び第２条件を満たした上で、第３条件を満たせば、さらにモアレが視認される可能性を低減できる。前記明暗模様の周期が、さらに短くなるためである。
【０１４６】
＜１−２．実施形態２＞
次に、実施形態２に係るタッチ検出機能付き表示装置１について説明する。図１９は、実施形態２に係るタッチ検出電極ＴＤＬの配置を表す模式図である。なお、上述した実施形態１で説明したものと同じ構成要素には同一の符号を付して重複する説明は省略する。
【０１４７】
図１９に示すように、実施形態２に係るタッチ検出電極ＴＤＬは、対向基板３と平行な平面上で画素配列方向Ｄｙに延在する導電性細線ＭＬ１と導電性細線ＭＬ２を含む。導電性細線ＭＬ１と導電性細線ＭＬ２とが１組となり、検出領域ＴＤＡを形成する。導電性細線ＭＬ１の端部ＭＬ１ｅと導電性細線ＭＬ２の端部ＭＬ２ｅとは、第１導通部ＴＤＢ１を介して接続され導通している。
【０１４８】
導電性細線ＭＬ１は、実施形態１で示した導電性細線ＭＬである。導電性細線ＭＬ２は、導電性細線ＭＬ１に対して、画素配列方向Ｄｙと平行な直線を対称軸とする線対称な形状をしている。導電性細線ＭＬ２は、導電性細線ＭＬ１と同じ材料で形成される。導電性細線ＭＬ２は、導電性細線ＭＬ１の屈曲部ＴＤＣと導電性細線ＭＬ２の屈曲部ＴＤＣとが接続される、交差部ＴＤＸを形成するように配置される。導電性細線ＭＬ１と導電性細線ＭＬ２とは、交差部ＴＤＸで導通している。これより、導電性細線ＭＬ１と導電性細線ＭＬ２は、細線片Ｕａ及び細線片Ｕｂで囲まれた包囲領域ｍｅｓｈ１を形成する。なお、導電性細線ＭＬ１と導電性細線ＭＬ２とは、屈曲部ＴＤＣで接続されていなくてもよい。例えば、導電性細線ＭＬ１における細線片Ｕａの中間部と、導電性細線ＭＬ２における細線片Ｕｂの中間部とで接続され導通していてもよい。
【０１４９】
ダミー電極ＴＤＤは、細線片Ｕｃ及び細線片Ｕｄを含む。細線片Ｕｃは細線片Ｕａと平行に配置し、細線片Ｕｄは細線片Ｕｂと平行に配置する。また、細線片Ｕｃと細線片Ｕｄは、２つの細線片Ｕｃ及び２つの細線片Ｕｄで囲まれる包囲領域ｍｅｓｈ２の面積が、包囲領域ｍｅｓｈ１と同じになるように配置する。これにより、タッチ検出電極ＴＤＬが配置される領域と、そうでない領域との遮光性の差が小さくなるため、タッチ検出電極ＴＤＬが視認されやすくなる可能性を低減できる。
【０１５０】
［作用効果］
上記の構成により、実施形態２に係るタッチ検出機能付き表示装置１は、仮に導電性細線ＭＬ１と導電性細線ＭＬ２のうち一方の導電性細線の一部が細くなり、導通が不確実でも、交差部ＴＤＸで他方の導電性細線に接続されているため、タッチ検出の確率を高めることができる。
【０１５１】
＜１−３．実施形態３＞
次に、実施形態３に係るタッチ検出機能付き表示装置１について説明する。図２０は、実施形態３に係る細線片の第１端部と第２端部との相対的な位置関係を説明する模式図である。なお、上述した実施形態１で説明したものと同じ構成要素には同一の符号を付して重複する説明は省略する。
【０１５２】
各副画素ＳＰｉｘに色領域３２Ｒ、３２Ｇ、３２Ｂが対応付けられ、色領域３２Ｒ、３２Ｇ、３２Ｂを１組として画素Ｐｉｘを構成している。画素Ｐｉｘは、図２０に示すように、走査線ＧＣＬに平行な方向及び信号線ＳＧＬに平行な方向に沿って行列状に配置される。また、画素Ｐｉｘは、同じ色領域同士が走査線ＧＣＬに平行な方向及び信号線ＳＧＬに平行な方向において隣り合わないように配置される。
【０１５３】
画素配列方向Ｄｙは、人間の視感度が最も高い色領域が並ぶ方向である。Ｒ（赤）、Ｇ（緑）、Ｂ（青）の３色のなかでは、人間の視感度が最も高い色はＧ（緑）である。図２０で、色領域３２Ｇが並ぶのは色領域３２Ｇの対角線方向であるため、実施形態３における画素配列方向Ｄｙは、色領域３２Ｇの対角線方向となる。
【０１５４】
細線片Ｕａの第１端部Ｕａ１と第２端部Ｕａ２との相対的な位置関係の説明のため、図２０において、走査線ＧＣＬと信号線ＳＧＬの交差部のうちで任意の点を原点Ｒ００とし、原点Ｒ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ３であり、ｙ方向の画素Ｐｉｘ１つ分の最大長さは、第２単位長さＬｙ３である。
【０１５５】
例えば、原点Ｒ００からｘ方向に第１単位長さＬｘ３進み、さらにｙ方向に第２単位長さＬｙ３進んだ点の座標は（１，１）となる。このｘｙ座標において、点Ｒ０１は、座標が（０，１）の点である。点Ｒ１５は、座標が（１，５）の点である。点Ｒ１４は、座標が（１，４）の点である。点Ｒ１３は、座標が（１，３）の点である。点Ｒ１２は、座標が（１，２）の点である。点Ｒ３５は、座標が（３，５）の点である。点Ｒ２３は、座標が（２，３）の点である。点Ｒ３４は、座標が（３，４）の点である。点Ｒ４５は、座標が（４，５）の点である。点Ｒ５６は、座標が（５，６）の点である。点Ｒ１１は、座標が（１，１）の点である。点Ｒ６５は、座標が（６，５）の点である。点Ｒ５４は、座標が（５，４）の点である。点Ｒ４３は、座標が（４，３）の点である。点Ｒ３２は、座標が（３，２）の点である。点Ｒ５３は、座標が（５，３）の点である。点Ｒ２１は、座標が（２，１）の点である。点Ｒ３１は、座標が（３，１）の点である。点Ｒ４１は、座標が（４，１）の点である。点Ｒ５１は、座標が（５，１）の点である。点Ｒ１０は、座標が（１，０）の点である。
【０１５６】
［作用効果］
実施形態３において、図１３または図１９に示す細線片Ｕａが第１条件を満たすのは以下の場合である。すなわち、細線片Ｕａの第１端部Ｕａ１が点Ｒ００の位置にあるとき、第２端部Ｕａ２が点Ｒ００から目標位置に向かう方向にあり、目標位置が点Ｒ３５、点Ｒ２３、点Ｒ３４、点Ｒ４５、点Ｒ５６、点Ｒ６５、点Ｒ５４、点Ｒ４３、点Ｒ３２及び点Ｒ５３のいずれかである場合である。細線片Ｕａが第１条件を満たせば、モアレが視認される可能性を低減できる。
【０１５７】
実施形態３において、図１３または図１９に示す細線片Ｕａが第１条件及び第２条件を満たすのは以下の場合である。すなわち、細線片Ｕａの第１端部Ｕａ１が点Ｒ００の位置にあるとき、第２端部Ｕａ２が点Ｒ００から目標位置に向かう方向にあり、目標位置が点Ｒ３５、点Ｒ３４、点Ｒ４５、点Ｒ５６、点Ｒ６５、点Ｒ５４、点Ｒ４３及び点Ｒ５３のいずれかである場合である。細線片Ｕａが第１条件及び第２条件を満たせば、さらにモアレが視認される可能性を低減できる。
【０１５８】
実施形態３において、図１３または図１９に示す細線片Ｕａが第１条件、第２条件及び第３条件を満たすのは以下の場合である。すなわち、細線片Ｕａの第１端部Ｕａ１が点Ｒ００の位置にあるとき、第２端部Ｕａ２が点Ｒ００から目標位置に向かう方向にあり、目標位置が点Ｒ３５、点Ｒ３４、点Ｒ４５、点Ｒ５６、点Ｒ６５、点Ｒ５４、点Ｒ４３及び点Ｒ５３のいずれかである場合である。細線片Ｕａが第１条件、第２条件及び第３条件を満たせば、さらにモアレが視認される可能性を低減できる。
【０１５９】
また、図１３または図１９に示す細線片Ｕａと細線片Ｕｂが共に第１条件を満たす場合でも、モアレが視認される可能性を低減できる。細線片Ｕａと細線片Ｕｂが共に第１条件を満たす場合は、さらにモアレが視認される可能性を低減できる。細線片Ｕａと細線片Ｕｂが共に第３条件を満たす場合は、さらにモアレが視認される可能性を低減できる。
【０１６０】
＜１−４．実施形態４＞
次に、実施形態４に係るタッチ検出機能付き表示装置１について説明する。図２１は、実施形態４に係る画素配列方向Ｄｙを説明するための模式図である。なお、上述した実施形態１で説明したものと同じ構成要素には同一の符号を付して重複する説明は省略する。
【０１６１】
各副画素ＳＰｉｘにＲ（赤）、Ｇ（緑）、Ｂ（青）、Ｗ（白）の４色の色領域３２Ｒ、３２Ｇ、３２Ｂ、３２Ｗが対応付けられ、色領域３２Ｒ、３２Ｇ、３２Ｂまたは色領域３２Ｒ、３２Ｇ、３２Ｗを１組として画素Ｐｉｘを構成している。ここで色領域３２Ｒ、３２Ｇ、３２Ｂで構成される画素Ｐｉｘを画素Ｐｉｘ１、色領域３２Ｒ、３２Ｇ、３２Ｗで構成される画素Ｐｉｘを画素Ｐｉｘ２とする。画素Ｐｉｘは、図２１に示すように、走査線ＧＣＬに平行な方向及び信号線ＳＧＬに平行な方向に沿って行列状に配置される。また、画素Ｐｉｘ１と画素Ｐｉｘ２とは、走査線ＧＣＬに平行な方向及び信号線ＳＧＬに平行な方向において隣り合わないように配置される。
【０１６２】
画素配列方向Ｄｙは、人間の視感度が最も高い色領域が並ぶ方向である。Ｒ（赤）、Ｇ（緑）、Ｂ（青）、Ｗ（白）の４色のなかでは、人間の視感度が最も高い色はＷ（白）である。しかし、色領域３２Ｗは隣り合う部分がないため、並ぶ方向を有さない。この場合は、その次に人間の視感度が高い色領域が並ぶ方向が画素配列方向Ｄｙとなる。Ｗ（白）を除くＲ（赤）、Ｇ（緑）、Ｂ（青）の３色のなかでは、人間の視感度が最も高い色はＧ（緑）である。図２１で、色領域３２Ｇが並ぶのは、信号線ＳＧＬと平行な方向であるため、画素配列方向Ｄｙは信号線ＳＧＬと平行な方向となる。
【０１６３】
＜１−５．実施形態５＞
図２２は、実施形態５に係るタッチ検出機能付き表示デバイスの概略断面構造を表す断面図である。上記の実施形態及び変形例に係るタッチ検出機能付き表示装置１は、ＦＦＳ、ＩＰＳ等の各種モードの液晶を用いた液晶表示デバイス２０とタッチ検出デバイス３０とを一体化してタッチ検出機能付き表示デバイス１０とすることができる。これに代えて、図２２に示す実施形態５に係るタッチ検出機能付き表示デバイス１０は、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶とタッチ検出デバイスとを一体化してもよい。
【０１６４】
＜２．適用例＞
次に、図２３〜図３５を参照して、実施形態及び変形例で説明したタッチ検出機能付き表示装置１の適用例について説明する。図２３〜図３５は、本実施形態に係るタッチ検出機能付き表示装置又は表示装置を適用する電子機器の一例を示す図である。本実施形態及び変形例に係るタッチ検出機能付き表示装置１及び表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態及び変形例に係るタッチ検出機能付き表示装置１及び表示装置は、外部から入力された映像信号あるいは内部で生成した映像信号を、画像あるいは映像として表示するあらゆる分野の電子機器に適用することが可能である。
【０１６５】
（適用例１）
図２３に示す電子機器は、実施形態１〜５及び変形例に係るタッチ検出機能付き表示装置１及び表示装置が適用されるテレビジョン装置である。このテレビジョン装置は、例えば、フロントパネル５１１及びフィルターガラス５１２を含む映像表示画面部５１０を有しており、この映像表示画面部５１０は、実施形態１〜５及び変形例に係るタッチ検出機能付き表示装置１及び表示装置である。
【０１６６】
（適用例２）
図２４及び図２５に示す電子機器は、実施形態１〜５及び変形例に係るタッチ検出機能付き表示装置１及び表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１〜５及び変形例に係るタッチ検出機能付き表示装置１及び表示装置である。
【０１６７】
（適用例３）
図２６に示す電子機器は、実施形態１〜５及び変形例に係るタッチ検出機能付き表示装置１及び表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１〜５及び変形例に係るタッチ検出機能付き表示装置１及び表示装置である。
【０１６８】
（適用例４）
図２７に示す電子機器は、実施形態１〜５及び変形例に係るタッチ検出機能付き表示装置１及び表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１〜５及び変形例に係るタッチ検出機能付き表示装置１及び表示装置である。
【０１６９】
（適用例５）
図２８〜図３５に示す電子機器は、実施形態１〜５及び変形例に係るタッチ検出機能付き表示装置１及び表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、実施形態１〜５及び変形例に係るタッチ検出機能付き表示装置１及び表示装置である。
【０１７０】
（適用例６）
図３５に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、実施形態１〜５及び変形例に係るタッチ検出機能付き表示装置１及び表示装置である。
【０１７１】
＜３．本開示の構成＞
また、本開示は、以下の構成をとることもできる。
【０１７２】
（１）基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線であるタッチ検出電極と、
前記タッチ検出電極に対して静電容量を有する駆動電極と、
前記表示領域に画像を表示する機能を有する表示機能層と、を含み、
複数の前記色領域のうち、人間の視感度が最も高い色領域が並ぶ方向を画素配列方向とし、前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記導電性細線は、前記画素配列方向と異なる方向に伸びる細線片を含み、当該細線片の第２端部は第１端部から目標位置に向かう方向にあり、前記目標位置は、当該細線片の第１端部に対して、前記画素直交方向において前記第１単位長さの整数倍で２以上の倍数で離れ、かつ前記画素配列方向において前記第２単位長さの整数倍で２以上の倍数で離れており、前記第１単位長さの整数倍の倍数の値と、前記第２単位長さの整数倍の倍数の値は異なる、タッチ検出機能付き表示装置。
【０１７３】
（２）前記第１単位長さの整数倍の倍数の値と、前記第２単位長さの整数倍の倍数の値は、３以上の値である、前記（１）に記載のタッチ検出機能付き表示装置。
【０１７４】
（３）前記第１単位長さの整数倍の倍数の値と、前記第２単位長さの整数倍の倍数の値との差は、１である、前記（２）に記載のタッチ検出機能付き表示装置。
【０１７５】
（４）前記隣り合う細線片は、
一方の細線片の第２端部と他方の細線片の第１端部とが接続される部分が屈曲部となり、前記一方の細線片が前記画素配列方向に対して角度を有して延び、前記他方の細線片が前記屈曲部で前記画素配列方向に対する角度が変わるように前記一方の細線片と異なる方向に延びている、前記（１）から前記（３）のいずれか１つに記載のタッチ検出機能付き表示装置。
【０１７６】
（５）前記導電性細線は、前記基板の表面と平行な面に複数あり、隣接する前記導電性細線の前記細線片同士が交差する部分を有するように配置され、一方の前記導電性細線が前記交差する部分で他方の前記細線片と接続される、前記（１）から前記（４）のいずれか１つに記載のタッチ検出機能付き表示装置。
【０１７７】
（６）前記タッチ検出電極と前記駆動電極とは、
前記基板の表面に対する垂直方向において、前記基板を挟んで異なる面上に位置し、
前記駆動電極は、透光性である、前記（１）から前記（５）のいずれか１つに記載のタッチ検出機能付き表示装置。
【０１７８】
（７）前記駆動電極は、
前記画素配列方向または前記画素直交方向に延在している、前記（６）に記載のタッチ検出機能付き表示装置。
【０１７９】
（８）タッチ検出機能付き表示装置を備える電子機器であって、前記タッチ検出機能付き表示装置は、前記（１）から前記（７）のいずれか１つに記載のタッチ検出機能付き表示装置である、電子機器。
【符号の説明】
【０１８０】
１  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
２４  絶縁層
３０  タッチ検出デバイス
３１  ガラス基板
３２  カラーフィルタ
３２Ｒ、３２Ｇ、３２Ｂ、３２Ｗ  色領域
３５  偏光板
４０  タッチ検出部
Ａｄ  表示領域
ＣＯＭＬ  駆動電極
Ｄｘ  画素直交方向
Ｄｙ  画素配列方向
ＧＣＬ  走査線
ｍｅｓｈ１、ｍｅｓｈ２  包囲領域
ＭＬ、ＭＬ１、ＭＬ２  導電性細線
Ｐｉｘ  画素
ＳＧＬ  信号線
ＳＰｉｘ  副画素
ＴＤＡ  検出領域
ＴＤＣ  屈曲部
ＴＤＢ  導通部
ＴＤＤ  ダミー電極
ＴＤＤＳ  分割部
ＴＤＧ  検出配線
ＴＤＬ  タッチ検出電極
ＴＤＸ  交差部
【図１】
2014191660.tif 000003
【図２】
2014191660.tif 000004
【図３】
2014191660.tif 000005
【図４】
2014191660.tif 000006
【図５】
2014191660.tif 000007
【図６】
2014191660.tif 000008
【図７】
2014191660.tif 000009
【図８】
2014191660.tif 000010
【図９】
2014191660.tif 000011
【図１０】
2014191660.tif 000012
【図１１】
2014191660.tif 000013
【図１２】
2014191660.tif 000014
【図１３】
2014191660.tif 000015
【図１４】
2014191660.tif 000016
【図１５】
2014191660.tif 000017
【図１６】
2014191660.tif 000018
【図１７】
2014191660.tif 000019
【図１８】
2014191660.tif 000020
【図１９】
2014191660.tif 000021
【図２０】
2014191660.tif 000022
【図２１】
2014191660.tif 000023
【図２２】
2014191660.tif 000024
【図２３】
2014191660.tif 000025
【図２４】
2014191660.tif 000026
【図２５】
2014191660.tif 000027
【図２６】
2014191660.tif 000028
【図２７】
2014191660.tif 000029
【図２８】
2014191660.tif 000030
【図２９】
2014191660.tif 000031
【図３０】
2014191660.tif 000032
【図３１】
2014191660.tif 000033
【図３２】
2014191660.tif 000034
【図３３】
2014191660.tif 000035
【図３４】
2014191660.tif 000036
【図３５】
2014191660.tif 000037